(57)【要約】【課題】タグ情報の検出洩れや誤検出を抑制し、物品を正確に管理する。【解決手段】アンテナ４００は、物品５００に付された第１の無線タグ５１０からタグ情報を読み取るための電波を放射し、第１の無線タグ５１０から放射された電波を受信する。第２の無線タグ５２０は、アンテナ４００から放射された電波の強さが、第１の無線タグ５１０が配置される位置よりも弱い位置に配置される。処理装置１００は、アンテナ４００が電波を放射したときにアンテナ４００が第２の無線タグ５２０から放射された電波を受信した場合、アンテナ４００から放射される電波の強さを弱める。【選択図】図１
2018163602.tif 000002
【特許請求の範囲】
【請求項１】
管理対象の物品に付された読取対象のパッシブタグからタグ情報を読み取るための電波を放射し、前記読取対象のパッシブタグから放射された電波を受信するアンテナと、
前記アンテナから放射された電波の強さが、前記読取対象のパッシブタグが配置される位置よりも弱い位置に配置される調整用のパッシブタグと、
前記アンテナが電波を放射したときに前記アンテナが前記調整用のパッシブタグから放射された電波を受信した場合、前記アンテナから放射される電波の強さを弱める調整手段と、を備える、
物品管理システム。
【請求項２】
前記調整手段は、前記アンテナが電波を放射したときに前記アンテナが前記調整用のパッシブタグから放射された電波を受信しない場合、前記アンテナから放射される電波の強さを強める、
請求項１に記載の物品管理システム。
【請求項３】
前記調整手段は、前記アンテナが第１の強さで電波を放射したときに前記アンテナが前記調整用のパッシブタグから放射された電波を受信した場合、前記アンテナに前記第１の強さより弱い第２の強さで電波を放射させ、前記アンテナが前記第２の強さで電波を放射したときに前記アンテナが前記調整用のパッシブタグから放射された電波を受信した場合、前記アンテナに前記第２の強さで電波を放射させる、
請求項１又は２に記載の物品管理システム。
【請求項４】
前記調整手段は、前記アンテナが第１の強さで電波を放射したときに前記アンテナが前記調整用のパッシブタグから放射された電波を受信した場合、前記アンテナに前記第１の強さよりも弱い第２の強さで電波を放射させ、前記アンテナが前記第２の強さで電波を放射したときに前記アンテナが前記調整用のパッシブタグから放射された電波を受信した場合、前記アンテナに前記第２の強さよりも弱い第３の強さで電波を放射させる、
請求項１又は２に記載の物品管理システム。
【請求項５】
前記アンテナと前記調整用のパッシブタグとは、前記読取対象のパッシブタグを挟む位置に配置される、
請求項１から４のいずれか１項に記載の物品管理システム。
【請求項６】
前記管理対象の物品は、第１の方向に並ぶ複数の収納部を有する棚に収納され、
複数の前記アンテナと複数の前記調整用のパッシブタグとを備え、
前記複数の収納部と前記複数のアンテナと前記複数の調整用のパッシブタグとは、１対１対１で対応付けられており、前記アンテナと前記調整用のパッシブタグとが前記収納部を挟む位置に配置される、
請求項１から５のいずれか１項に記載の物品管理システム。
【請求項７】
前記アンテナは、前記収納部の前記第１の方向における一端に配置され、
前記調整用のパッシブタグは、前記収納部の前記第１の方向における他端に配置される、
請求項６に記載の物品管理システム。
【発明の詳細な説明】
【技術分野】
【０００１】
本発明は、物品管理システムに関する。
【背景技術】
【０００２】
現在、ＲＦ（Radio Frequency）タグであるパッシブタグを用いて、管理対象の物品を管理する種々の技術が知られている。例えば、特許文献１には、従来技術として、アンテナがパッシブタグから読み取ったタグ情報を用いて、書庫内に収容されたファイルフォルダの在庫を管理する技術が開示されている。
【０００３】
特許文献１に開示された技術では、書庫が有する引き出し毎にアンテナが配置され、各アンテナは自身が配置された引き出し内に収納されたファイルフォルダに付されたパッシブタグからタグ情報を読み取る。なお、アンテナは、パッシブタグからタグ情報を読み取るための電波を放射し、放射した電波を受信したパッシブタグからタグ情報を読み取る。特許文献１に開示された技術によれば、ファイルフォルダの在庫の有無を特定することに加え、ファイルフォルダが収納された引き出しを特定することも期待される。
【先行技術文献】
【特許文献】
【０００４】
【特許文献１】特開２００２−３５６２２７号公報
【発明の概要】
【発明が解決しようとする課題】
【０００５】
しかしながら、特許文献１に開示された技術では、タグ情報の検出洩れや誤検出により、物品を正確に管理できないことがあった。例えば、アンテナが放射する電波の強さが弱すぎると、このアンテナが配置された引き出し内のパッシブタグからタグ情報を読み取ることができず、検出洩れが生じる可能性がある。一方、アンテナが放射する電波の強さが強すぎると、このアンテナが配置された引き出しと隣接する引き出し内のパッシブタグからタグ情報を読み取っていまい、誤検出が生じる可能性がある。このため、タグ情報の検出洩れや誤検出を抑制し、物品を正確に管理することが可能な物品管理システムが望まれている。
【０００６】
本発明は、上記問題に鑑みてなされたものであり、物品を正確に管理することが可能な物品管理システムを提供することを目的とする。
【課題を解決するための手段】
【０００７】
上記目的を達成するために、本発明に係る物品管理システムは、
管理対象の物品に付された読取対象のパッシブタグからタグ情報を読み取るための電波を放射し、前記読取対象のパッシブタグから放射された電波を受信するアンテナと、
前記アンテナから放射された電波の強さが、前記読取対象のパッシブタグが配置される位置よりも弱い位置に配置される調整用のパッシブタグと、
前記アンテナが電波を放射したときに前記アンテナが前記調整用のパッシブタグから放射された電波を受信した場合、前記アンテナから放射される電波の強さを弱める調整手段と、を備える。
【０００８】
前記調整手段は、前記アンテナが電波を放射したときに前記アンテナが前記調整用のパッシブタグから放射された電波を受信しない場合、前記アンテナから放射される電波の強さを強めてもよい。
【０００９】
前記調整手段は、前記アンテナが第１の強さで電波を放射したときに前記アンテナが前記調整用のパッシブタグから放射された電波を受信した場合、前記アンテナに前記第１の強さより弱い第２の強さで電波を放射させ、前記アンテナが前記第２の強さで電波を放射したときに前記アンテナが前記調整用のパッシブタグから放射された電波を受信した場合、前記アンテナに前記第２の強さで電波を放射させてもよい。
【００１０】
前記調整手段は、前記アンテナが第１の強さで電波を放射したときに前記アンテナが前記調整用のパッシブタグから放射された電波を受信した場合、前記アンテナに前記第１の強さよりも弱い第２の強さで電波を放射させ、前記アンテナが前記第２の強さで電波を放射したときに前記アンテナが前記調整用のパッシブタグから放射された電波を受信した場合、前記アンテナに前記第２の強さよりも弱い第３の強さで電波を放射させてもよい。
【００１１】
前記アンテナと前記調整用のパッシブタグとは、前記読取対象のパッシブタグを挟む位置に配置されてもよい。
【００１２】
前記管理対象の物品は、第１の方向に並ぶ複数の収納部を有する棚に収納され、
複数の前記アンテナと複数の前記調整用のパッシブタグとを備え、
前記複数の収納部と前記複数のアンテナと前記複数の調整用のパッシブタグとは、１対１対１で対応付けられており、前記アンテナと前記調整用のパッシブタグとが前記収納部を挟む位置に配置されてもよい。
【００１３】
前記アンテナは、前記収納部の前記第１の方向における一端に配置され、
前記調整用のパッシブタグは、前記収納部の前記第１の方向における他端に配置されてもよい。
【発明の効果】
【００１４】
本発明によれば、物品を正確に管理することができる。
【図面の簡単な説明】
【００１５】
【図１】本発明の実施形態１に係る物品管理システムの構成図
【図２】本発明の実施形態１に係る処理装置の構成図
【図３】アンテナの構成図であり、（Ａ）は平面図、（Ｂ）は正面図
【図４】アンテナの断面図であり、（Ａ）は図３（Ａ）におけるＡ−Ａ線の断面図、（Ｂ）は図３（Ａ）におけるＢ−Ｂ線の断面図
【図５】本発明の実施形態１に係る棚の斜視図
【図６】アンテナ及び第２の無線タグの第１の配置例を示す斜視図
【図７】第１の配置例における電界強度の説明図
【図８】本発明の実施形態１に係る処理装置が実行する物品管理処理を示すフローチャート
【図９】アンテナ及び第２の無線タグの第２の配置例を示す斜視図
【図１０】第２の配置例における電界強度の説明図
【図１１】本発明の実施形態２に係る処理装置が実行する物品管理処理を示すフローチャート
【図１２】第１の無線タグの他の配置例を示す斜視図
【発明を実施するための形態】
【００１６】
以下、本発明の実施形態について、図面を参照して説明する。なお、図中において、同一又は対応する部分には、同一の符号を付す。
【００１７】
（実施形態１）
図１は、本発明の実施形態１に係る物品管理システム１０００の構成図である。物品管理システム１０００は、棚に収納される管理対象の物品を管理するシステムである。より詳細には、物品管理システム１０００は、棚により分離された複数の収納領域のそれぞれに収納される物品を特定するシステムである。本実施形態では、１つの収納領域には、複数の物品が収納されないものとする。物品管理システム１０００では、１つの収納領域に対して設けられた１つのアンテナがこの１つの収納領域に収納された１つの物品に付された無線タグからタグ情報を読み取ることにより、この１つの収納領域に収納されたこの１つの物品が特定される。
【００１８】
物品管理システム１０００は、誤検出や検出洩れを抑制するために、アンテナから放射する電波の強さを調整する機能を有する。誤検出は、例えば、電波の強さが収納領域の大きさに対して強すぎる場合に発生する。誤検出は、例えば、ある収納領域に対して設けられたアンテナが、他の収納領域に収納された物品に付された無線タグからタグ情報を読み取る場合に発生する。検出洩れは、例えば、電波の強さが収納領域の大きさに対して弱すぎる場合に発生する。検出洩れは、例えば、ある収納領域に対して設けられたアンテナが、この収納領域に収納された物品に付された無線タグからタグ情報を読み取れない場合に発生する。
【００１９】
図１に示すように、物品管理システム１０００は、処理装置１００と、サーバ２００と、リーダライタ３００と、複数のアンテナ４００と、複数の第２の無線タグ５２０と、を備える。処理装置１００とサーバ２００とは、通信ネットワーク６００を介して相互に接続される。複数のアンテナ４００の個数と複数の第２の無線タグ５２０の個数と棚が有する複数の収納領域７１０の個数とは同じである。つまり、棚が有する複数の収納領域７１０のそれぞれには、１つのアンテナ４００と１つの第２の無線タグ５２０とが設けられる。ここで、複数の収納領域７１０のそれぞれには、第１の無線タグ５１０が付された物品５００が収納される可能性がある。
【００２０】
処理装置１００は、リーダライタ３００から受信したタグ情報に基づいて、物品管理処理を実行する。物品管理処理は、例えば、対応関係特定処理、対応関係記録処理、対応関係提示処理、電波調整処理を実行する。対応関係特定処理は、収納領域７１０毎に収納されている物品５００を特定し、収納領域７１０と物品５００との対応関係を特定する処理である。対応関係記録処理は、収納領域７１０と物品５００との対応関係を示す情報を保存する処理である。収納領域７１０と物品５００との対応関係を示す情報は、例えば、収納領域７１０の識別情報と物品５００の識別情報とを含む情報である。物品５００の識別情報は、例えば、物品５００に付された第１の無線タグ５１０が記憶するタグ情報から特定される。対応関係提示処理は、収納領域７１０と物品５００との対応関係を明示する画面を提示する処理である。
【００２１】
電波調整処理は、アンテナ４００から放射される電波の強さを調整する処理である。なお、アンテナ４００から放射される電波の強さは、リーダライタ３００からアンテナ４００に供給する電力（以下「送信電力」という。）の大きさに対応する。つまり、アンテナ４００から放射される電波の強さは、送信電力が大きい程、強い。従って、電波調整処理では、送信電力の大きさが調整される。電波調整処理は、アンテナ４００から電波を放射したときにアンテナ４００が第２の無線タグ５２０から放射された電波を受信した場合に、アンテナ４００から放射される電波の強さを弱める処理を含む。電波調整処理は、アンテナ４００から電波を放射したときにアンテナ４００が第２の無線タグ５２０から放射された電波を受信しない場合に、アンテナ４００から放射される電波の強さを強める処理を含んでもよい。処理装置１００は、サーバ２００に記憶された各種の情報を参照しながら、物品管理処理を実行する。処理装置１００は、例えば、ノートパソコン、タブレット端末、スマートフォンなどの端末装置である。以下、図２を参照して、処理装置１００の構成について説明する。
【００２２】
図２に示すように、処理装置１００は、ＣＰＵ（Central Processing Unit）１１、ＲＯＭ（Read Only Memory）１２、ＲＡＭ（Random Access Memory）１３、フラッシュメモリ１４、ＲＴＣ（Real Time Clock）１５、タッチスクリーン１６、第１の通信インターフェース１７、第２の通信インターフェース１８を備える。処理装置１００が備える各構成要素は、バスを介して相互に接続される。
【００２３】
ＣＰＵ１１は、処理装置１００の全体の動作を制御する。なお、ＣＰＵ１１は、ＲＯＭ１２に格納されているプログラムに従って動作し、ＲＡＭ１３をワークエリアとして使用する。ＲＯＭ１２には、処理装置１００の全体の動作を制御するためのプログラムやデータが記憶される。ＲＡＭ１３は、ＣＰＵ１１のワークエリアとして機能する。つまり、ＣＰＵ１１は、ＲＡＭ１３にプログラムやデータを一時的に書き込み、これらのプログラムやデータを適宜参照する。
【００２４】
フラッシュメモリ１４は、各種の情報を記憶する不揮発性メモリである。ＲＴＣ１５は、計時用のデバイスである。ＲＴＣ１５は、例えば、電池を内蔵し、処理装置１００の電源がオフの間も計時を継続する。ＲＴＣ１５は、例えば、水晶発振子を備える発振回路を備える。タッチスクリーン１６は、ユーザによりなされたタッチ操作を検知し、検知の結果を示す信号をＣＰＵ１１に供給する。また、タッチスクリーン１６は、ＣＰＵ１１から供給された画像信号に基づく画像を表示する。このように、タッチスクリーン１６は、処理装置１００のユーザインターフェースとして機能する。
【００２５】
第１の通信インターフェース１７は、処理装置１００を、通信ネットワーク６００に接続するためのインターフェースである。処理装置１００は、通信ネットワーク６００を介して通信ネットワーク６００に接続されたサーバ２００と通信する。第１の通信インターフェース１７は、例えば、ＬＡＮ（Local Area Network）インターフェース（例えば、ＮＩＣ（Network Interface Card））を備える。
【００２６】
第２の通信インターフェース１８は、処理装置１００を、リーダライタ３００と接続するためのインターフェースである。第２の通信インターフェース１８は、図示しない通信ケーブルを介して、リーダライタ３００に接続される。第２の通信インターフェース１８は、ＬＡＮインターフェースを備えていてもよいし、ＵＳＢ（Universal Serial Bus）やＲＳ−２３２（Recommended Standard 232）に準拠したインターフェースを備えていてもよい。
【００２７】
サーバ２００は、通信ネットワーク６００を介して、処理装置１００に各種の情報やサービスを提供するサーバである。サーバ２００は、例えば、図示しないＣＰＵ、図示しないＲＯＭ、図示しないＲＡＭ、図示しないハードディスク、図示しないＲＴＣ、図示しない通信インターフェースを備える。図示しないハードディスクには、例えば、収納領域７１０と物品５００との対応関係を示す情報、アンテナ４００と第２の無線タグ５２０と収納領域７１０との対応関係を示す情報、物品５００と第１の無線タグ５１０との対応関係を示す情報が記憶される。アンテナ４００はアンテナ４００の識別情報により識別され、物品５００は物品５００の識別情報により識別され、第１の無線タグ５１０は第１の無線タグ５１０の識別情報により識別され、第２の無線タグ５２０は第２の無線タグ５２０の識別情報により識別され、収納領域７１０は収納領域７１０の識別情報により識別される。なお、物品５００の識別情報と第１の無線タグ５１０の識別情報とは同じであってもよい。サーバ２００は、例えば、デスクトップパソコン、ワークステーションである。
【００２８】
リーダライタ３００は、処理装置１００による制御に従って、第１の無線タグ５１０や第２の無線タグ５２０からタグ情報を読み取ったり、第１の無線タグ５１０や第２の無線タグ５２０にタグ情報を書き込んだりする装置である。本実施形態では、リーダライタ３００がタグ情報を読み込む処理について説明し、リーダライタ３００がタグ情報を書き込む処理については説明しない。リーダライタ３００は、図示しない通信ケーブルを介して、処理装置１００が備える第２の通信インターフェース１８と接続される。また、リーダライタ３００は、図示しない通信ケーブルを介して、アンテナ４００と接続される。
【００２９】
リーダライタ３００は、処理装置１００からタグ情報の読み取りを指示する情報を受信した場合、アンテナ４００が放射する電波に応じた電気信号をアンテナ４００に送信する。アンテナ４００が放射する電波は、第１の無線タグ５１０と第２の無線タグ５２０とに電力を供給するための電波である。アンテナ４００が放射する電波の強さ、つまり、送信電力の大きさは、処理装置１００により指定される。また、リーダライタ３００は、アンテナ４００が受信した電波に応じた電気信号をアンテナ４００から受信する。アンテナ４００が受信した電波は、第１の無線タグ５１０又は第２の無線タグ５２０が放射した電波であり、タグ情報を含む電波である。リーダライタ３００は、アンテナ４００から受信した電気信号により示されるタグ情報を処理装置１００に送信する。リーダライタ３００は、複数のアンテナ４００に接続される。リーダライタ３００は、処理装置１００による制御に従って、電波を放射又は受信するアンテナ４００を、時分割で（例えば、１秒毎に）切り換える。
【００３０】
アンテナ４００は、リーダライタ３００から受信した電気信号に応じた電波を放射し、第１の無線タグ５１０又は第２の無線タグ５２０から受信した電波に応じた電気信号をリーダライタ３００に供給する。アンテナ４００が放射する電波及びアンテナ４００が受信する電波は、例えば、ＵＨＦ帯域の電波（例えば、周波数が約９２０ＭＨｚ、波長が約３０ｃｍの電波）である。アンテナ４００が放射した電波は、１つの収納領域７１０内に伝搬し、他の収納領域７１０内には伝搬しないことが好適である。従って、アンテナ４００は、収納領域７１０の大きさ、形状及び配置に応じた利得及び指向性を有することが好適である。アンテナ４００は、収納領域７１０の端部、又は、収納領域７１０の近傍に配置される。
【００３１】
本実施形態では、アンテナ４００は、細長く薄い、ブレード状のアンテナである。ブレード状のアンテナの詳細な説明は、例えば、特開２０１５−１９８３７２号公報に詳細に開示されている。以下、図３及び図４を参照して、アンテナ４００の構成について簡単に説明する。図３（Ａ）は、アンテナ４００の平面図である。図３（Ｂ）は、アンテナ４００の正面図である。図４（Ａ）は、図３（Ａ）におけるＡ−Ａ線の断面図である。図４（Ｂ）は、図３（Ａ）におけるＢ−Ｂ線の断面図である。図３（Ａ）及び図３（Ｂ）において、アンテナ４００の長さ方向はＺ軸方向であり、アンテナ４００の幅方向はＹ軸方向であり、アンテナ４００の厚さ方向はＸ軸方向である。Ｚ軸方向は鉛直方向であり、Ｘ軸方向はＺ軸方向と直交する方向であり、Ｙ軸方向はＸ軸方向とＺ軸方向とに直交する方向である。
【００３２】
アンテナ４００は、基板４０１と、給電部４０２と、終端抵抗部４０３と、ストリップライン部４０４（ストリップライン部４０４Ａ、ストリップライン部４０４Ｂ）と、無給電電極部（無給電電極部４０５Ａ、無給電電極部４０５Ｂ、無給電電極部４０５Ｃ、無給電電極部４０５Ｄ）と、金属板４０６とを備える。また、アンテナ４００は、電波を放射する放射面４０７と、放射面４０７と対向する対向面４０８とを備える。基板４０１は、アンテナ４００の基材であり、例えば、ガラス繊維とエポキシ樹脂とを含むプリント基板である。基板４０１は、例えば、長さ２７５ｍｍ、幅１５ｍｍ、厚さ３ｍｍの幅狭な板状に形成される。
【００３３】
給電部４０２は、アンテナ４００が備えるストリップライン部４０４に電流を供給し、基板４０１の表面の一端に設けられる。給電部４０２は、図示しない通信ケーブルの他端と、ストリップライン部４０４の一端とに接続される。給電部４０２は、図示しない通信ケーブルを介してリーダライタ３００から電気信号を受信し、ストリップライン部４０４に電流を供給する。終端抵抗部４０３は、ストリップライン部４０４を流れた電流の反射が発生することを抑制し、基板４０１の表面の他端に設けられる。
【００３４】
ストリップライン部４０４は、給電部４０２から供給された電流が流れる線路であり、基板４０１の長さ方向に伸びる態様に形成される。ストリップライン部４０４の一端は、給電部４０２に接続され、ストリップライン部４０４の他端は、終端抵抗部４０３に接続される。ストリップライン部４０４は、中間部分が、ストリップライン部４０４Ａとストリップライン部４０４Ｂとに分岐している。
【００３５】
無給電電極部（無給電電極部４０５Ａ、無給電電極部４０５Ｂ、無給電電極部４０５Ｃ、無給電電極部４０５Ｄ）は、基板４０１の長さ方向に伸びる電極であり、基板４０１の表面に配置される。無給電電極部（無給電電極部４０５Ａ、無給電電極部４０５Ｂ、無給電電極部４０５Ｃ、無給電電極部４０５Ｄ）は、ストリップライン部４０４と電磁的に結合し、ストリップライン部４０４に電流が流れると、内部に電流が流れて電波を放射する。無給電電極部（無給電電極部４０５Ａ、無給電電極部４０５Ｂ、無給電電極部４０５Ｃ、無給電電極部４０５Ｄ）は、通信に利用される電波の半波長程度の長さを有する。無給電電極部４０５Ａは、基板４０１の中央よりも給電部４０２に近いエリア内に配置される。無給電電極部４０５Ｂ、無給電電極部４０５Ｃ、無給電電極部４０５Ｄは、基板４０１の中央よりも終端抵抗部４０３に近いエリア内に互いに並列に配置される。
【００３６】
金属板４０６は、基板４０１の長さ方向に伸びる電極であり、基板４０１の裏面に配置される。金属板４０６は、ストリップライン部４０４とともにストリップラインを構成するためのグランド電極である。金属板４０６は、通信に利用される電波の１波長程度の長さを有する。アンテナ４００には、給電部４０２に近い部分に無給電電極部４０５Ａが設けられ、終端抵抗部４０３に近い部分に無給電電極部４０５Ｂ、無給電電極部４０５Ｃ、無給電電極部４０５Ｄが設けられる。従って、アンテナ４００によれば、電波をバランス良く放射することができる。
【００３７】
物品５００は、管理対象の物品である。物品５００は、棚が備える収納領域７１０内に収納される。物品５００は、例えば、魚類を捕獲するために用いられる網である漁網である。漁網は、ポリアミド、ポリエチレン、ポリエステルなどから構成される合成繊維により構成される。本実施形態では、理解を容易にするため、図面において物品５００を直方体で示している。物品５００には、第１の無線タグ５１０が付される。
【００３８】
第１の無線タグ５１０は、第１の識別情報を含むタグ情報を記憶する。第１の識別情報は、物品５００を識別するための情報であり、物品５００の識別情報又は第１の無線タグ５１０の識別情報である。第１の識別情報は、例えば、数値やアルファベットにより構成される文字列を示す情報である。第１の無線タグ５１０は、アンテナ４００が放射した電波を受信すると、タグ情報を含む電波を放射する。つまり、第１の無線タグ５１０は、ＲＦ（Radio Frequency）タグであり、読取対象のパッシブタグである。
【００３９】
第２の無線タグ５２０は、第２の識別情報を含むタグ情報を記憶する。第２の識別情報は、収納領域７１０を識別するための情報であり、収納領域７１０の識別情報又は第２の無線タグ５２０の識別情報である。第２の識別情報は、例えば、数値やアルファベットにより構成される文字列を示す情報である。第２の無線タグ５２０は、アンテナ４００が放射した電波を受信すると、タグ情報を含む電波を放射する。つまり、第２の無線タグ５１０は、ＲＦタグであり、電波の強さを調整するためのパッシブタグ（調整用のパッシブタグ）である。
【００４０】
第２の無線タグ５２０は、記憶するタグ情報以外は、基本的に、第１の無線タグ５１０と同様の構成であることが好適である。例えば、第１の無線タグ５１０が備えるアンテナと第２の無線タグ５２０が備えるアンテナとは、同様のアンテナ特性であることが好適である。第２の無線タグ５２０は、収納領域７１０の端部、又は、収納領域７１０の近傍に配置される。アンテナ４００と第２の無線タグ５２０とは、収納領域７１０を挟んで対向するように配置されることが好適である。
【００４１】
通信ネットワーク６００は、宅外に構築されるネットワークであり、通信ネットワーク６００に接続された機器同士が相互に通信するためのネットワークである。通信ネットワーク６００は、例えば、ＷＡＮ（Wide Area Network）である。通信ネットワーク６００は、例えば、インターネットである。
【００４２】
次に、図５を参照して、物品５００を収納する棚について説明する。図５に示すように、棚７００は、物品５００を収納する複数の収納領域７１０を備える。本実施形態では、棚７００は、３（Ｘ軸方向）×１（Ｙ軸方向）×２（Ｚ軸方向）＝６個の収納領域７１０を備えるものとする。本実施形態では、６個の収納領域７１０は、直方体であり、同じ形状及び大きさであるものとする。６個の収納領域７１０のそれぞれに対して、１個のアンテナ４００と１個の第２の無線タグ５２０とが配置される。
【００４３】
次に、図６を参照して、本実施形態に係るアンテナ４００及び第２の無線タグ５２０の配置（第１の配置例）について詳細に説明する。図６に示すように、収納領域７１０は、２枚の床板７２０と４本の支柱７３０とにより囲まれる領域である。なお、図６では、理解を容易にするため、２枚の床板７２０のうち１枚の床板７２０のみを示している。
【００４４】
床板７２０は、物品５００が載置される板状の部材である。床板７２０の長手方向はＸ軸方向であり、床板７２０の幅方向はＹ軸方向であり、床板７２０の厚さ方向はＺ軸方向である。支柱７３０は、床板７２０を支持する柱状の部材である。支柱７３０の長手方向はＺ軸方向であり、支柱７３０の幅方向はＹ軸方向であり、支柱７３０の厚さ方向はＸ軸方向である。床板７２０の４隅に４本の支柱７３０が配置される。
【００４５】
ここで、収納領域７１０のＹ軸方向における長さは、収納領域７１０のＸ軸方向における長さよりも短く、収納領域７１０のＺ軸方向における長さよりも長いものとする。この場合、収納領域７１０の最も長い方向（Ｘ軸方向）における両端に、それぞれ、アンテナ４００と第２の無線タグ５２０とが配置されることが好適である。図６に、収納領域７１０のＸ軸方向における一端（収納領域７１０のＸ軸方向における座標が小さい方の端部）にアンテナ４００が配置され、収納領域７１０のＸ軸方向における他端（収納領域７１０のＸ軸方向における座標が大きい方の端部）に第２の無線タグ５２０が配置される例を示す。
【００４６】
ここで、第１の無線タグ５１０が配置される位置は、物品５００の形状、大きさ、配置、並びに、物品５００上において第１の無線タグ５１０が付される位置にもよるが、本実施形態では、概ね、収納領域７１０の中央付近の位置であるものとする。例えば、図６に示すように、物品５００の中央付近に第１の無線タグ５１０が付されている場合、収納領域７１０内における物品５００の位置や向きに拘わらず、第１の無線タグ５１０は収納領域７１０の中央付近に配置されることになる。本実施形態では、アンテナ４００のＺ軸方向における座標と、第１の無線タグ５１０のＺ軸方向における座標と、第２の無線タグ５２０のＺ軸方向における座標とが同程度であるものとする。
【００４７】
アンテナ４００は、４本の支柱７３０のうち、Ｘ軸方向における座標とＹ軸方向における座標とが最小である支柱７３０に配置される。アンテナ４００の長手方向はＺ軸方向であり、アンテナ４００の幅方向はＹ軸方向であり、アンテナ４００の厚さ方向はＸ軸方向である。また、アンテナ４００の放射面４０７のＸ軸方向における座標は、アンテナ４００の対向面４０８のＸ軸方向における座標よりも大きい。つまり、アンテナ４００は、Ｘ軸の正の方向に向けて電波を放射するように、支柱７３０に配置される。
【００４８】
一方、第２の無線タグ５２０は、４本の支柱７３０のうち、Ｘ軸方向における座標が最大であり、Ｙ軸方向における座標が最小である支柱７３０に配置される。第２の無線タグ５２０の厚さ方向はＸ軸方向である。つまり、第２の無線タグ５２０は、Ｘ軸の正の方向に向けて放射された電波を受信するように、支柱７３０に配置される。このように、アンテナ４００と第２の無線タグ５２０とは、それぞれ、Ｘ軸方向に並ぶ２本の支柱７３０に配置される。
【００４９】
次に、図７を参照して、第１の配置例における電界強度の分布について説明する。なお、電界強度の分布は、アンテナ４００から放射された電波の強さの分布ともいえる。図７は、収納領域７１０をＺ軸の正の方向から見た様子を示す図である。まず、理解を容易にするため、アンテナ４００が放射した電波は、基本的に、Ｘ軸の正の方向に向かう全方向に均一に広がるものとする。この場合、アンテナ４００が放射した電波の強さ、つまり、電界強度は、アンテナ４００を中心とする球の球面のうちＸ軸方向における座標がアンテナ４００よりも大きい地点では同程度になる。そして、電界強度は、アンテナ４００に近い位置ほど、高くなる。また、電界強度は、アンテナ４００から放射される電波の強さが強いほど、つまり、アンテナ４００に供給される送信電力が大きいほど、高くなる。
【００５０】
ここで、本実施形態では、第１の無線タグ５１０が収納領域７１０内のどこに配置されても、第２の無線タグ５２０が受信する電波の強さが、第１の無線タグ５１０が受信する電波の強さよりも弱くなるようにする。つまり、本実施形態では、第２の無線タグ５２０が配置される位置における電界強度が、第１の無線タグ５１０が配置される位置における電界強度よりも低くなるようにする。このため、アンテナ４００から第２の無線タグ５２０までの距離（以下、適宜「第２の距離」という。）が、アンテナ４００から第１の無線タグ５１０までの距離（以下、適宜「第１の距離」という。）よりも長くなるように、アンテナ４００と第２の無線タグ５２０とが配置される。例えば、収納領域７１０の長手方向における両端に、それぞれ、アンテナ４００と第２の無線タグ５２０とを配置すると、常に、第２の距離が第１の距離よりも長くなる。
【００５１】
破線４１０は、第１の無線タグ５１０が配置された位置における電界強度と等しい電界強度となる位置（つまり、アンテナ４００からの距離が第１の距離と等しい位置）のうち、Ｘ軸方向における座標が第１の無線タグ５１０と同じ座標となる位置を示す破線である。点線４２０は、第２の無線タグ５２０が配置された位置における電界強度と等しい電界強度となる位置（つまり、アンテナ４００からの距離が第２の距離と等しい位置）のうち、Ｘ軸方向における座標が第２の無線タグ５２０と同じ座標となる位置を示す点線である。ここで、アンテナ４００から放射される電波の強さがどのような強さであっても、破線４１０上の位置における電界強度は、点線４２０上の位置における電界強度よりも高くなる。
【００５２】
また、アンテナ４００から放射される電波の強さは、誤検出や検出洩れが減るように調整される。誤検出は、アンテナ４００から放射される電波の強さが強すぎる場合に発生する。つまり、誤検出は、アンテナ４００に対応する収納領域７１０とは別の収納領域７１０内に配置された第１の無線タグ５１０のタグ情報が読み込まれることにより発生する。一方、検出洩れは、アンテナ４００から放射される電波の強さが弱すぎる場合に発生する。つまり、検出漏れは、アンテナ４００に対応する収納領域７１０内に配置された第１の無線タグ５１０のタグ情報が読み込まれないことにより発生する。
【００５３】
ここで、第２の無線タグ５２０は、アンテナ４００から受信した電波の強さが閾値以上である場合にタグ情報を含む電波を放射し、アンテナ４００から受信した電波の強さが閾値未満である場合にタグ情報を含む電波を放射しない。従って、アンテナ４００が第２の無線タグ５２０から電波を受信した場合、誤検出が発生する可能性がある。そこで、アンテナ４００が第２の無線タグ５２０から電波を受信した場合、アンテナ４００から放射される電波の強さを弱くする。一方、アンテナ４００が第２の無線タグ５２０から電波を受信しない場合、検出洩れが発生する可能性がある。そこで、アンテナ４００が第２の無線タグ５２０から電波を受信しない場合、アンテナ４００から放射される電波の強さを強くする。つまり、電波が伝搬しやすい状況では、アンテナ４００から放射される電波の強さを弱め、電波が伝搬しにくい状況では、アンテナ４００から放射される電波の強さを強める。
【００５４】
なお、物品５００の誘電率は、空気の誘電率よりも高い。従って、収納領域７１０内に物品５００が収納されている場合と、収納領域７１０内に物品５００が収納されていない場合とでは、アンテナ４００から放射された電波の伝搬状況が異なる。また、物品５００の素材、形状、大きさ、配置によっても、アンテナ４００から放射された電波の伝搬状況が異なる。このため、例えば、収納領域７１０内に物品５００が収納されていないときに、誤検出や検出洩れがないようにアンテナ４００から放射される電波の強さを調整したとしても、物品５００が収納領域７１０に収納されると、誤検出や検出漏れが発生する可能性がある。同様に、収納領域７１０内に物品５００が収納されているときに、誤検出や検出洩れがないようにアンテナ４００から放射される電波の強さを調整したとしても、物品５００が収納領域７１０から取り出されると、誤検出や検出漏れが発生する可能性がある。本実施形態では、アンテナ４００から放射された電波の伝搬状況が変化したとしても、誤検出や検出洩れが抑制可能である。なお、アンテナ４００から放射された電波の伝搬状況は、物品５００の有無の他、棚７００の近傍に配置された設備の状況、周囲の環境（温度、湿度）などによっても変化すると考えられる。
【００５５】
本実施形態では、第２の無線タグ５２０が受信する電波の強さは、第１の無線タグ５１０が受信する電波の強さよりも弱く、他の収納領域７１０に配置された第１の無線タグ５１０が受信する電波の強さよりも強い。つまり、第２の距離は、第１の距離よりも長く、アンテナ４００から他の収納領域７１０に配置された第１の無線タグ５１０までの距離（以下、適宜「第３の距離」という。）よりも短い。そして、アンテナ４００が放射する電波の強さが、第２の無線タグ５２０が電波を放射可能な最弱の強さ、或いは、第２の無線タグ５２０が電波を放射不可能な最強の強さ程度に調整される。かかる構成により、誤検出と検出洩れとが抑制される。
【００５６】
次に、図８を参照して、本実施形態に係る処理装置１００が実行する物品管理処理について説明する。物品管理処理は、例えば、処理装置１００の電源が投入されたことに応答して実行される。
【００５７】
まず、ＣＰＵ１１は、初期化処理を実行する（ステップＳ１０１）。初期化処理は、例えば、全てのアンテナ４００が放射する電波の強さを、初期の強さ（例えば、第１の強さ）に設定する処理である。なお、本実施形態では、アンテナ４００が放射する電波の強さは、第１の強さと、第１の強さよりも弱い第２の強さとのいずれかであるものとする。第１の強さは、例えば、電波が伝搬しにくい環境下においても、検出洩れが生じない程度の強さである。第２の強さは、例えば、電波が伝搬しやすい環境下においても、誤検出が生じない程度の強さである。なお、ＣＰＵ１１は、アンテナ４００の識別情報と電波の強度を示す情報とを対応付ける情報をＲＡＭ１３に記憶することができる。
【００５８】
ＣＰＵ１１は、ステップＳ１０１の処理を完了すると、予め定められた順番で、複数のアンテナ４００の中から、タグ情報の読み取りを実行させる１つのアンテナ４００を選択する（ステップＳ１０２）。タグ情報の読み取りを実行させるアンテナ４００を選択することは、物品５００の有無を検出する対象の収納領域７１０を選択することを意味する。ＣＰＵ１１は、ステップＳ１０２の処理を完了すると、選択したアンテナ４００に電波を放射させる（ステップＳ１０３）。ここで、電波の強さは、現時点において、選択したアンテナ４００に対応付けられている強さ（第１の強さ又は第２の強さ）である。また、アンテナ４００に電波を放射させる期間は、例えば、数十ミリ秒から数百ミリ秒である。
【００５９】
ＣＰＵ１１は、ステップＳ１０３の処理を完了すると、アンテナ４００が第２の無線タグ５２０から電波を受信したか否かを判別する（ステップＳ１０４）。なお、ＣＰＵ１１は、リーダライタ３００から供給された情報に、第２の無線タグ５２０の識別情報を含むタグ情報が含まれている場合に、アンテナ４００が第２の無線タグ５２０から電波を受信したと判別する。ＣＰＵ１１は、アンテナ４００が第２の無線タグ５２０から電波を受信したと判別すると（ステップＳ１０４：ＹＥＳ）、アンテナ４００から放射させる電波の強さを第２の強さに設定する（ステップＳ１０５）。一方、ＣＰＵ１１は、アンテナ４００が第２の無線タグ５２０から電波を受信していないと判別すると（ステップＳ１０４：ＮＯ）、アンテナ４００から放射させる電波の強さを第１の強さに設定する（ステップＳ１０６）。
【００６０】
ＣＰＵ１１は、ステップＳ１０５又はステップＳ１０６の処理を完了すると、新たに設定された強さで、アンテナ４００から電波を放射させる（ステップＳ１０７）。アンテナ４００に電波を放射させる期間は、例えば、数十ミリ秒から数百ミリ秒である。ＣＰＵ１１は、ステップＳ１０７の処理を完了すると、アンテナ４００が第１の無線タグ５１０から電波を受信したか否かを判別する（ステップＳ１０８）。なお、ＣＰＵ１１は、リーダライタ３００から供給された情報に、第１の無線タグ５１０の識別情報を含むタグ情報が含まれている場合に、アンテナ４００が第１の無線タグ５１０から電波を受信したと判別する。ＣＰＵ１１は、アンテナ４００が第１の無線タグ５１０から電波を受信したと判別すると（ステップＳ１０８：ＹＥＳ）、収納領域７１０内に物品５００が収納されていると判別する（ステップＳ１０９）。一方、ＣＰＵ１１は、アンテナ４００が第１の無線タグ５１０から電波を受信していないと判別すると（ステップＳ１０８：ＮＯ）、収納領域７１０内に物品５００が収納されていないと判別する（ステップＳ１１０）。
【００６１】
ＣＰＵ１１は、ステップＳ１０９又はステップＳ１１０の処理を完了すると、収納領域７１０と物品５００とを対応付ける（ステップＳ１１１）。例えば、ＣＰＵ１１は、選択されたアンテナ４００に対応する収納領域７１０の識別情報と、選択されたアンテナ４００が受信した電波を放射した第１の無線タグ５１０が付された物品５００の識別情報と、を対応付ける情報を、ＲＡＭ１３に記憶させる。なお、ＣＰＵ１１は、物品５００が収納領域７１０に収納されていない場合、選択されたアンテナ４００に対応する収納領域７１０の識別情報と、物品５００が収納されていないことを示す情報と、を対応付ける情報を、ＲＡＭ１３に記憶させる。ＣＰＵ１１は、ステップＳ１１１の処理を完了すると、ステップＳ１０２に処理を戻し、複数のアンテナ４００から別のアンテナ４００を新たに選択し、新たに選択したアンテナ４００によるタグ情報の読み取りを実行させる。ＣＰＵ１１は、以上説明した処理を繰り返し、全ての収納領域７１０に対して、物品５００が収納されているか否か、又は、どのような物品５００が収納されているかを特定する。
【００６２】
本実施形態では、アンテナ４００が第２の無線タグ５２０から電波を受信する場合にアンテナ４００が放射する電波が弱められ、アンテナ４００が第２の無線タグ５２０から電波を受信しない場合にアンテナ４００が放射する電波が強められる。従って、本実施形態によれば、誤検出と検出洩れとが抑制され、物品を正確に管理することができる。
【００６３】
（実施形態２）
実施形態１では、アンテナ４００と第２の無線タグ５２０とが第１の無線タグ５１０を挟まない位置に配置され、アンテナ４００から放射される電波の強さが２段階で調整される例について説明した。実施形態２では、アンテナ４００と第２の無線タグ５２０とが第１の無線タグ５１０を挟む位置に配置され、アンテナ４００から放射される電波の強さが３段階以上で調整される例について説明する。以下、主に、実施形態１と実施形態２とで異なる点に関して説明し、実施形態１と実施形態２とで重複する点に関しては、説明を省略する。
【００６４】
まず、図９を参照して、本実施形態に係るアンテナ４００及び第２の無線タグ５２０の配置例（第２の配置例）について説明する。本実施形態では、アンテナ４００と第２の無線タグ５２０とが第１の無線タグ５１０を挟む位置に配置される。つまり、本実施形態では、アンテナ４００と第２の無線タグ５２０とを結ぶ直線上に第１の無線タグ５１０が配置されるようにする。なお、上述したように、第１の無線タグ５１０が配置される位置は、概ね、収納領域７１０の中央付近の位置である。
【００６５】
本実施形態では、収納領域７１０の境界に設けられる４本の支柱７３０のうち、対角線上に配置される２本の支柱７３０に、それぞれ、アンテナ４００と第２の無線タグ５２０とが配置される。また、アンテナ４００と第２の無線タグ５２０とは、第１の無線タグ５１０のＺ軸方向における座標が、アンテナ４００のＺ軸方向における座標よりも大きく、第２の無線タグ５２０のＺ軸方向における座標よりも小さくなるように配置される。
【００６６】
図１０は、収納領域７１０をＺ軸の正の方向から見た様子を示す図である。破線４３０は、第１の無線タグ５１０が配置された位置における電界強度と同じ電界強度となる位置のうち、特定の面上の位置を示す破線である。特定の面は、アンテナ４００と第２の無線タグ５２０とを通る面のうち、ＸＹ平面となす二面角が最小となる面である。
【００６７】
本実施形態では、アンテナ４００と第２の無線タグ５２０とが第１の無線タグ５１０を挟む位置に配置される。このため、第２の距離（アンテナ４００から第２の無線タグ５２０までの距離）が、第１の距離（アンテナ４００から第１の無線タグ５１０までの距離）よりも長いことは明らかである。また、アンテナ４００から第１の無線タグ５１０に向かう方向とアンテナ４００から第２の無線タグ５２０に向かう方向とがほぼ一致する。従って、本実施形態では、アンテナ４００の放射特性によらず、第２の無線タグ５２０が配置された位置における電界強度を、第１の無線タグ５１０が配置された位置における電界強度よりも弱くすることができる。
【００６８】
次に、図１１を参照して、本実施形態に係る処理装置１００が実行する物品管理処理について説明する。物品管理処理は、例えば、処理装置１００の電源が投入されたことに応答して実行される。
【００６９】
まず、ＣＰＵ１１は、初期化処理を実行する（ステップＳ２０１）。初期化処理は、例えば、全てのアンテナ４００が放射する電波の強さを、初期の強さ（例えば、第１の強さ）に設定する処理である。なお、本実施形態では、アンテナ４００が放射する電波の強さは、第１の強さと、第１の強さよりも弱い第２の強さと、第２の強さよりも弱い第３の強さと、第３の強さよりも弱い第４の強さと、第４の強さよりも弱い第５の強さとのいずれかであるものとする。第１の強さは、例えば、電波が伝搬しにくい環境下においても、検出洩れが生じない程度の強さである。第５の強さは、例えば、電波が伝搬しやすい環境下においても、誤検出が生じない程度の強さである。なお、ＣＰＵ１１は、アンテナ４００の識別情報と電波の強さを示す情報とを対応付ける情報をＲＡＭ１３に記憶することができる。
【００７０】
ＣＰＵ１１は、ステップＳ２０１の処理を完了すると、予め定められた順番で、複数のアンテナ４００の中から、タグ情報の読み取りを実行させる１つのアンテナ４００を選択する（ステップＳ２０２）。ＣＰＵ１１は、ステップＳ２０２の処理を完了すると、選択したアンテナ４００に電波を放射させる（ステップＳ２０３）。ここで、電波の強さは、現時点において、選択したアンテナ４００に対応付けられている強さ（第１の強さから第５の強さのうちのいずれかの強さ）である。
【００７１】
ＣＰＵ１１は、ステップＳ２０３の処理を完了すると、アンテナ４００が第２の無線タグ５２０から電波を受信したか否かを判別する（ステップＳ２０４）。なお、ＣＰＵ１１は、リーダライタ３００から供給された情報に、第２の無線タグ５２０の識別情報を含むタグ情報が含まれている場合に、アンテナ４００が第２の無線タグ５２０から電波を受信したと判別する。ＣＰＵ１１は、アンテナ４００が第２の無線タグ５２０から電波を受信したと判別すると（ステップＳ２０４：ＹＥＳ）、選択したアンテナ４００が放射する電波の強さが最弱（第５の強さ）であるか否かを判別する（ステップＳ２０５）。ＣＰＵ１１は、選択したアンテナ４００が放射する電波の強さが最弱でないと判別すると（ステップＳ２０５：ＮＯ）、アンテナ４００から放射させる電波の強さを１段階弱める（ステップＳ２０６）。
【００７２】
一方、ＣＰＵ１１は、アンテナ４００が第２の無線タグ５２０から電波を受信していないと判別すると（ステップＳ２０４：ＮＯ）、選択したアンテナ４００が放射する電波の強さが最強（第１の強さ）であるか否かを判別する（ステップＳ２０７）。ＣＰＵ１１は、選択したアンテナ４００が放射する電波の強さが最強でないと判別すると（ステップＳ２０７：ＮＯ）、アンテナ４００から放射させる電波の強さを１段階強める（ステップＳ２０８）。
【００７３】
ＣＰＵ１１は、選択したアンテナ４００が放射する電波の強さが最弱であると判別した場合（ステップＳ２０５：ＹＥＳ）、選択したアンテナ４００が放射する電波の強さが最強であると判別した場合（ステップＳ２０７：ＹＥＳ）、又は、ステップＳ２０６又はステップＳ２０８の処理を完了した場合、新たに設定された強さで、アンテナ４００から電波を放射させる（ステップＳ２０９）。ＣＰＵ１１は、ステップＳ２０９の処理を完了すると、アンテナ４００が第１の無線タグ５１０から電波を受信したか否かを判別する（ステップＳ２１０）。ＣＰＵ１１は、アンテナ４００が第１の無線タグ５１０から電波を受信したと判別すると（ステップＳ２１０：ＹＥＳ）、収納領域７１０内に物品５００が収納されていると判別する（ステップＳ２１１）。一方、ＣＰＵ１１は、アンテナ４００が第１の無線タグ５１０から電波を受信していないと判別すると（ステップＳ２１０：ＮＯ）、収納領域７１０内に物品５００が収納されていないと判別する（ステップＳ２１２）。
【００７４】
ＣＰＵ１１は、ステップＳ２１１又はステップＳ２１２の処理を完了すると、収納領域７１０と物品５００とを対応付ける（ステップＳ２１３）。例えば、ＣＰＵ１１は、選択されたアンテナ４００に対応する収納領域７１０の識別情報と、選択されたアンテナ４００が受信した電波を放射した第１の無線タグ５１０が付された物品５００の識別情報（又は、物品５００が収納されていないことを示す情報）と、を対応付ける情報を、ＲＡＭ１３に記憶させる。ＣＰＵ１１は、ステップＳ２１３の処理を完了すると、ステップＳ２０２に処理を戻し、複数のアンテナ４００から別のアンテナ４００を新たに選択し、新たに選択したアンテナ４００によるタグ情報の読み取りを実行させる。
【００７５】
本実施形態では、アンテナ４００と第２の無線タグ５２０とが第１の無線タグ５１０を挟む位置に配置される。従って、本実施形態では、アンテナ４００の放射特性によらず、第２の無線タグ５２０が配置された位置における電界強度を、第１の無線タグ５１０が配置された位置における電界強度よりも弱くすることができる。その結果、本実施形態によれば、第２の無線タグ５２０からのタグ情報の読み取りの可否により、アンテナ４００から放射される電波の強さを適切に調整することができる。従って、本実施形態によれば、誤検出と検出洩れとが更に抑制され、物品を更に正確に管理することができる。
【００７６】
また、本実施形態では、第２の無線タグ５２０からのタグ情報の読み取りの可否により、アンテナ４００から放射される電波の強さ（アンテナ４００に供給される送信電力）が５段階で調整される。従って、本実施形態によれば、誤検出と検出洩れとが更に抑制され、物品を更に正確に管理することができる。
【００７７】
（変形例）
以上、本発明の実施形態を説明したが、本発明を実施するにあたっては、種々の形態による変形及び応用が可能である。
【００７８】
本発明において、上記実施形態において説明した構成、機能、動作のどの部分を採用するのかは任意である。また、本発明において、上述した構成、機能、動作のほか、更なる構成、機能、動作が採用されてもよい。また、上述した実施形態は、適宜、自由に組み合わせることができる。また、本発明において採用可能な素材、サイズ、電気的特性などが、上記実施形態において示したものに限定されないことは勿論である。
【００７９】
例えば、上記実施形態では、処理装置１００が単独で、物品管理処理を実行する例について説明した。本発明において、処理装置１００とサーバ２００とが協働して、物品管理処理を実行してもよい。
【００８０】
実施形態１では、１つのリーダライタ３００が設けられ、１つのリーダライタ３００が処理装置１００と全てのアンテナ４００とに接続される例について説明した。本発明において、複数のリーダライタ３００が設けられ、複数のリーダライタ３００が処理装置１００に接続され、各アンテナ４００が複数のリーダライタ３００のいずれかに接続されてもよい。
【００８１】
棚７００の形状（収納領域７１０の配置や個数）は、実施形態１で説明したものに限定されない。また、アンテナ４００及び第２の無線タグ５２０の位置は、実施形態１や実施形態２で説明したものに限定されず、棚７００の形状、メンテナンス性などに応じて調整することができる。アンテナ４００は、ブレード状のアンテナに限定されず、種々のアンテナを採用することができる。
【００８２】
実施形態１では、物品５００の中央付近に第１の無線タグ５１０が付され、収納領域７１０内における物品５００の位置や向きに拘わらず、第１の無線タグ５１０が収納領域７１０の中央付近に配置される例について説明した。実施形態１によれば、収納領域７１０内における物品５００の位置や向きに拘わらず、常に、アンテナ４００から第１の無線タグ５１０までの距離をアンテナ４００から第２の無線タグ５２０までの距離よりも短くし、第１の無線タグ５１０が受信する電波の強さを第２の無線タグ５２０が受信する電波の強さよりも強くすることができる。
【００８３】
しかしながら、第１の無線タグ５１０が受信する電波の強さと第２の無線タグ５２０が受信する電波の強さとの差は大きい程、誤検出や検出洩れを減らすことが期待できる。そこで、図１２に示すように、アンテナ４００から第１の無線タグ５１０までの距離が最も短くなるようにすることが好適である。図１２には、物品５００の端部（隣接する２つの側面が接する線分の近傍部分）に第１の無線タグ５１０が付され、物品５００が、収納領域７１０内において、アンテナ４００から第１の無線タグ５１０までの距離が最も短くなる向きで配置された例を示す。
【００８４】
実施形態１では、処理装置１００やサーバ２００が有する機能を多くがソフトウェア（又は、ファームウェア）により実現される例、つまり、処理装置１００やサーバ２００が有する機能を多くがプロセッサによるプログラムの実行により実現されるについて説明した。本発明において、このような機能は、ハードウェアにより実現されてもよい。この場合、例えば、処理装置１００やサーバ２００は、ＣＰＵ１１や図示しないＣＰＵに代えて、処理回路を備える。この処理回路は、例えば、単一回路、複合回路、プログラム化したプロセッサ、並列プログラム化したプロセッサ、ＡＳＩＣ（Application Specific Integrated Circuit）、ＦＰＧＡ（Field Programmable Gate Array）、又はこれらの組合せにより構成される。
【００８５】
本発明に係る処理装置１００やサーバ２００の動作を規定する動作プログラムを既存のパーソナルコンピュータや情報端末装置に適用することで、当該パーソナルコンピュータを本発明に係る処理装置１００やサーバ２００として機能させることも可能である。また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、通信ネットワーク（例えば、インターネット）を介して配布してもよい。
【符号の説明】
【００８６】
１１  ＣＰＵ、１２  ＲＯＭ、１３  ＲＡＭ、１４  フラッシュメモリ、１５  ＲＴＣ、１６  タッチスクリーン、１７  第１の通信インターフェース、１８  第２の通信インターフェース、１００  処理装置、２００  サーバ、３００  リーダライタ、４００  アンテナ、４０１  基板、４０２  給電部、４０３  終端抵抗部、４０４  ストリップライン部、４０５Ａ，４０５Ｂ，４０５Ｃ，４０５Ｄ  無給電電極部、４０６  金属板、４０７  放射面、４０８  対向面、４１０，４３０  破線、４２０，４４０  点線、５００  物品、５１０  第１の無線タグ、５２０  第２の無線タグ、６００  通信ネットワーク、７００  棚、７１０  収納領域、７２０  床板、７３０  支柱、１０００  物品管理システム。
【図１】
2018163602.tif 000003
【図２】
2018163602.tif 000004
【図３】
2018163602.tif 000005
【図４】
2018163602.tif 000006
【図５】
2018163602.tif 000007
【図６】
2018163602.tif 000008
【図７】
2018163602.tif 000009
【図８】
2018163602.tif 000010
【図９】
2018163602.tif 000011
【図１０】
2018163602.tif 000012
【図１１】
2018163602.tif 000013
【図１２】
2018163602.tif 000014